(57)【特許請求の範囲】
【請求項１】
トウ−ヒール方向に延びる複数のスコアラインと、トウ−ヒール方向に延びる複数の細
溝とが形成されたフェース面を備え、
前記複数の細溝は、前記フェース面の略中央のセンター領域における前記複数の細溝の
間隔の方が、前記センター領域以外の非センター領域における前記複数の細溝の間隔より
も狭く形成され、
前記複数の細溝の各々は、その開口幅が２０〜１２０μｍの範囲であり、その深さは１０〜２５μｍの範囲である、
ゴルフクラブヘッド。
【請求項２】
前記非センター領域は、前記センター領域よりもトウ側の領域と、前記センター領域よ
りもヒール側の領域とを含む請求項１に記載のゴルフクラブヘッド。
【請求項３】
前記複数の細溝は、前記センター領域及び前記非センター領域を跨ってトウ−ヒール方
向に延びる複数の第１の細溝と、前記複数の第１の細溝の間に位置すると共に前記センタ
ー領域の範囲内でトウ−ヒール方向に延びる複数の第２の細溝と、を含む請求項１又は２
に記載のゴルフクラブヘッド。
【請求項４】
前記細溝は、前記スコアラインの開口幅よりも狭い開口幅を有する請求項１ないし３何
れかに記載のゴルフクラブヘッド。
【請求項５】
前記複数のスコアラインは、前記センター領域以外の領域に形成されている請求項１な
いし４何れかに記載のゴルフクラブヘッド。
【請求項６】
請求項１ないし５何れかに記載のゴルフクラブヘッドを備えるゴルフクラブ。
【発明の詳細な説明】
【技術分野】
【０００１】
本発明は、ゴルフクラブヘッド及びこれを備えるゴルフクラブに関する。
【背景技術】
【０００２】
従来より、ゴルフボールの飛距離に影響を及ぼすバックスピンの量を調節するために、ゴルフクラブヘッドのフェース面を加工する技術が提案されている。例えば、日本国特開平０８−３０８９６８号公報には、フェース面における打球位置に関わらず安定したボールの飛距離を実現するために、トウ側領域からヒール側領域に移るに従ってスコアラインの本数が増加するように構成されたフェース面を有するゴルフクラブヘッドが開示されている。このように構成されたフェース面を有するゴルフクラブヘッドは、スコアラインの本数が比較的少ない領域で打球した場合には、バックスピンが抑制されて弾道が高くなり過ぎるのを防止することができ、また、スコアラインの本数が比較的多い領域で打球した場合には、バックスピンが促進されて弾道が低くなり過ぎるのを防止することができる、とされている。
【先行技術文献】
【特許文献】
【０００３】
【特許文献１】特開平０８−３０８９６８号公報
【発明の概要】
【発明が解決しようとする課題】
【０００４】
しかしながら、上述したゴルフクラブヘッドは、スコアラインの本数の増減によってバックスピンの量を調節しようとするものであるところ、スコアラインは、フェース面における水滴等を排出することによって、この水滴等に起因するバックスピンの抑制を防止するものであるから、バックスピンを促進するのに適しているとは言い難い。また、スコアラインの開口幅、深さ、間隔等はルールによって規制されている。このように、スコアラインによるバックスピンの量の調節には自ずと限界があり、安定したボールの飛距離を十分に実現できるとは言い難い。
【０００５】
本発明の実施形態は、フェース面における打球位置に関わらずボールの飛距離を安定させることを目的の一つとする。本発明の実施形態の他の目的は、本明細書全体を参照することにより明らかとなる。
【課題を解決するための手段】
【０００６】
本発明の一実施形態に係るゴルフクラブヘッドは、トウ−ヒール方向に延びる複数のスコアラインと、トウ−ヒール方向に延びる複数の細溝とが形成されたフェース面を備え、前記複数の細溝は、前記フェース面の略中央のセンター領域における前記複数の細溝の間隔の方が、前記センター領域以外の非センター領域における前記複数の細溝の間隔よりも狭い。
【０００７】
本発明の一実施形態に係るゴルフクラブは、上述した一実施形態に係るゴルフクラブヘッドを備える。
【発明の効果】
【０００８】
本発明の様々な実施形態によって、フェース面における打球位置に関わらずボールの飛距離を安定させることができる。
【図面の簡単な説明】
【０００９】
【図１】一実施形態に係るゴルフクラブ１の構成図。
【図２】一実施形態に係るゴルフクラブヘッド１０のフェース面２０の模式図。
【図３】一実施形態における細溝４０の模式図。
【図４】他の実施形態に係るゴルフクラブヘッドのフェース面１２０の模式図。
【発明を実施するための形態】
【００１０】
以下、本発明の様々な実施形態を適宜図面を参照して説明する。なお、図面における共通する構成要素には同一の参照符号が付されている。
【００１１】
図１は、本発明の一実施形態に係るゴルフクラブヘッド（以下、単に「ヘッド」と言うことがある。）１０を備えた本発明の一実施形態に係るゴルフクラブ１の構成を概略的に示す構成図である。一実施形態におけるゴルフクラブ１は、図示するように、天然ゴム又は合成ゴム等によって形成されたグリップＧと、このグリップＧに結合し繊維強化樹脂又は金属材料等によって管状に形成されたシャフトＳと、このシャフトＳにホーゼルＨＺを介して結合した一実施形態におけるヘッド１０と、を備える。ここで、一実施形態におけるゴルフクラブ１及びヘッド１０は、ウッドクラブ及びそのヘッドとして構成されているが、本発明の様々な実施形態は、アイアンクラブ及びそのヘッドとして構成されたゴルフクラブ及びヘッドを含む。
【００１２】
一実施形態におけるヘッド１０は、例えば、ステンレス、チタン、又はチタン合金等の金属材料によって形成されている。図２は、一実施形態におけるヘッド１０のフェース面２０を模式的に示す模式図である。フェース面２０は、図示するように、略中央に略半円形状の打球領域５０を有し、この打球領域５０は、打球領域５０（フェース面２０）の略中央に位置すると共に略正方形の形状を有するセンター領域５０ａと、センター領域５０ａ以外の領域である非センター領域５０ｂと、から成る。例えば、Ｒ＆Ａルールズ社（Ｒ＆Ａ  Ｒｕｌｅｓ  Ｌｉｍｉｔｅｄ）が制定する「クラブと球についての規則ガイド」において定められている「インパクトエリア」をセンター領域５０ａとすることができる。
【００１３】
一実施形態において、フェース面２０の打球領域５０には、トウ−ヒール方向（図２における左右方向）に延びる複数のスコアライン３０が形成されている。この複数のスコアライン３０は、図示するように、ソール面６０に対して略平行に延びると共に垂直方向に所定の間隔（例えば、８．２ｍｍ）を有する７本の直線のうちクラウン側（上側）の６本の直線がセンター領域５０ａによってトウ側及びヒール側に分断された１３本の直線として構成されている。言い換えると、一実施形態における複数のスコアライン３０は、フェース面２０の打球領域５０のうち、センター領域５０ａ以外の非センター領域５０ｂに形成されており、より具体的には、センター領域５０ａのトウ側及びヒール側の非センター領域５０ｂそれぞれに６本のスコアライン３０が左右略対称に形成されており、センター領域５０ａのソール側（下側）の非センター領域５０ｂに１本のスコアライン３０が形成されている。
【００１４】
スコアライン３０は、一実施形態において、断面Ｖ字形状の溝として構成されており、例えば、０．６ｍｍの開口幅、及び、０．２ｍｍの深さを有する。このようなスコアライン３０は、例えば、鍛造、鋳造、切削加工、又はレーザー加工等の手法を用いて形成され得る。このように形成されたスコアライン３０は、フェース面２０における水滴等を排水する機能を有し、フェース面２０の表面に水膜が形成されるのを防止し得る。
【００１５】
また、一実施形態において、フェース面２０の打球領域５０には、トウ−ヒール方向に延びる複数の細溝４０が形成されており、この複数の細溝４０は、ソール面６０に対して略平行に延びる多数の直線として構成されている。打球領域５０のうちセンター領域５０ａにおいては、複数の細溝４０がセンター領域５０ａ全体に形成され、上下に隣接する細溝４０の間隔は、例えば、０．６ｍｍである。また、打球領域５０のうち非センター領域５０ｂにおいては、複数の細溝４０が、スコアライン３０が形成されている部分を除く領域に形成され、上下に隣接する細溝４０の間隔は、センター領域５０ａに形成されている細溝４０の間隔より広く、例えば、１．２ｍｍである。このように、一実施形態における複数の細溝４０は、センター領域５０ａにおける間隔の方が、非センター領域５０ｂにおける間隔よりも狭くなるように形成されている。
【００１６】
図３は、一実施形態における複数の細溝４０の構成の一部を模式的に示す模式図であり、センター領域５０ａと、このセンター領域５０ａの左右両側（トウ側及びヒール側）の非センター領域５０ｂとを含む領域に形成されている細溝４０を示す。複数の細溝４０は、図示するように、トウ側の非センター領域５０ｂからセンター領域５０ａを介してヒール側の非センター領域５０ｂまで一本の直線としてトウ−ヒール方向に延びる第１の細溝４２と、上下に隣接する２つの第１の細溝４２の間に位置すると共にセンター領域５０ａの範囲内でトウ−ヒール方向に延びる第２の細溝４４と、を含む。こうした構成によって、一実施形態における複数の細溝４０は、センター領域５０ａにおける間隔の方が、非センター領域５０ｂにおける間隔よりも狭くなるように形成されている。
【００１７】
細溝４０は、一実施形態において、断面Ｖ字形状またはＵ字形状の溝として構成されており、例えば、５０μｍの開口幅、及び、２０μｍの深さを有する。この開口幅及び深さは適宜変更可能であり、開口幅はたとえば、２０〜１２０μｍとすることができ、深さは１０〜２５μｍとすることができる。このように、細溝４０は、スコアライン３０と比較して狭い開口幅、及び、浅い深さを有する。こうした細溝４０は、例えば、切削加工、又はレーザー加工等の手法を用いて形成され得る。このように形成された細溝４０は、フェース面２０におけるボールに対する摩擦力を増大させる機能を有する。
【００１８】
ここで、一実施形態において、第１の細溝４２は、センター領域５０ａ及び非センター領域５０ｂを跨って１本の直線として構成されているから、複数の直線に分離している場合と比較して、切削加工、又はレーザー加工等の加工プロセスを簡略化することが出来る。
【００１９】
次に、このように構成された一実施形態におけるゴルフクラブヘッド１０の打球時の作用について説明する。ヘッド１０のフェース面２０のセンター領域５０ａで打球した場合、及び、非センター領域５０ｂで打球した場合それぞれのボールの初速を考えると、センター領域５０ａで打球した場合の方が、非センター領域５０ｂで打球した場合よりもボールの初速は大きくなる。初速が大きくなるに従ってボールの飛距離は長くなるが、センター領域５０ａにおける細溝４０の間隔は、非センター領域５０ｂにおける細溝４０の間隔と比較して狭くなっているから、センター領域５０ａで打球した場合のボールに対する摩擦力は、非センター領域５０ｂで打球した場合の摩擦力と比較して大きくなる。そして、摩擦力が大きいほどボールのバックスピンが促進され、この結果、ボールの飛距離が抑制される。このように、一実施形態におけるヘッド１０は、ボールの初速が比較的大きいセンター領域５０ａで打球された場合にはバックスピンが促進され、ボールの初速が比較的小さい非センター領域５０ｂで打球された場合にはバックスピンが抑制されるから、センター領域５０ａで打球した場合と非センター領域５０ｂで打球した場合との間のボールの飛距離の差異を縮小することができる。
【００２０】
上述した一実施形態においては、複数のスコアライン３０が、フェース面２０の打球領域５０のうち、センター領域５０ａ以外の非センター領域５０ｂに形成されるように構成したが、本発明の他の実施形態においては、複数のスコアライン３０の少なくとも一部は、センター領域５０ａにおいても形成される。図４は、本発明の他の実施形態に係るゴルフクラブヘッドのフェース面１２０を模式的に示す模式図である。この実施形態における複数のスコアライン３０は、図示するように、打球領域５０において、ソール面６０に対して略平行に延びると共に垂直方向に所定の間隔を有する７本の直線がセンター領域５０ａによって分断されることなく打球領域５０の全体に形成されている。そして、センター領域５０ａにおける細溝４０は、非センター領域における細溝４０と同様に、スコアライン３０が形成されている部分を除く領域に形成されている。
【００２１】
上述した一実施形態においては、細溝４０を、ソール面６０に対して略平行に延びる直線として構成したが、本発明の他の実施形態においては、複数の細溝４０の少なくとも一部は、ソール面６０に対して所定の傾斜角度（例えば、１−４５°）を有してトウ−ヒール方向に延びるように形成され得る。また、この場合において、複数の細溝４０の少なくとも一部は、相互に交差するように形成され得る。
【００２２】
以上説明した本発明の様々な実施形態におけるゴルフクラブヘッド１０は、トウ−ヒール方向に延びる複数のスコアライン３０と、トウ−ヒール方向に延びる複数の細溝４０とが形成されたフェース面２０を備え、センター領域５０ａにおける複数の細溝４０の間隔が、非センター領域５０ｂにおける複数の細溝４０の間隔よりも狭い。従って、ボールの初速が比較的大きいセンター領域５０ａで打球された場合にはバックスピンが促進され、ボールの初速が比較的小さい非センター領域５０ｂで打球された場合にはバックスピンが抑制されるから、センター領域５０ａで打球した場合と非センター領域５０ｂで打球した場合との間のボールの飛距離の差異を縮小することができる。即ち、本発明の実施形態は、フェース面における打球位置に関わらずボールの飛距離を安定させることができる。
【００２３】
また、本発明の様々な実施形態は、ボールに対する摩擦力を増大させてバックスピンを促進させる細溝４０が、スコアライン３０とは別に形成されているから、排水機能やルールに起因する制約に関わらず、バックスピンの量を調節することができる。また、例えば、ヘッド１０のクラウン部の軽量化に伴ってクラウン部の剛性が低下している場合、打球時にクラウン部が撓みやすくなり、この結果、センター領域５０ａで打球した場合のバックスピンは抑制され、非センター領域５０ｂで打球した場合のバックスピンは促進される傾向となる。しかしながら、本発明の様々な実施形態は、上述したように、細溝４０によってセンター領域５０ａで打球した場合のバックスピンを促進することができるから、クラウン部の軽量化に伴うバックスピンの量の変化を考慮して細溝４０を形成することにより、クラウン部の軽量化と飛距離の安定とを両立させることが可能である。
【００２４】
本発明の実施形態は、上述した実施形態に限定されるものではなく、その要旨を逸脱しない範囲内で様々な変更が可能である。例えば、スコアライン３０の数（間隔）、配置、寸法（開口幅、深さ等）及び形状、細溝４０の数（間隔）、配置、寸法（開口幅、深さ等）及び形状、並びに、打球領域５０の大きさ、及び形状、等は、適宜変更され得る。 
【符号の説明】
【００２５】
１  ゴルフクラブ
１０  ゴルフクラブヘッド
２０、１２０  フェース面
３０  スコアライン
４０  細溝
４２  第１の細溝
４４  第２の細溝
５０  打球領域
５０ａ  センター領域
５０ｂ  非センター領域
６０  ソール面
【図１】
0006452572.tif 000002
【図２】
0006452572.tif 000003
【図３】
0006452572.tif 000004
【図４】
0006452572.tif 000005